(57)【要約】      （修正有）【課題】筐体の一方側に発光素子が配置され、筐体の他方側に受光素子が配置された場合であっても、検知ギアの移動を検知させることができるトナーカートリッジを提供すること。【解決手段】トナーカートリッジは、筐体２と、オーガ３と、オーガギア１１と、アジテータ４と、アジテータギア１２と、検知ギア１４とを備える。検知ギア１４は、オーガ３とアジテータ４とが並ぶ第２方向において、アジテータギア１２に対してオーガギア１１の反対側に位置し、第１位置から第２位置へ回転可能である。検知ギア１４は、切欠き２２Ａを有する。検知ギア１４が第１位置である場合に、切欠き２２Ａは、第２方向における筐体２の他端部の外表面Ｓ１よりもオーガ３から離れて位置する。検知ギア１４が第２位置である場合に、検知ギア１４の外表面Ｓ２は、外表面Ｓ１よりもオーガ３から離れて位置する。【選択図】図３
2018055065.tif 000002
【特許請求の範囲】
【請求項１】
トナーを収容可能な筐体と、
第１方向に延びる第１軸について回転可能であり、前記トナーを前記第１方向に搬送可能なオーガであって、第２方向における前記筐体の一端部に位置するオーガと、
前記第１方向における前記オーガの一端部に装着され、前記オーガとともに回転可能なオーガギアと、
前記第１方向に延びる第２軸について回転可能なアジテータであって、前記トナーを撹拌可能であり、前記トナーを前記オーガへ向けて搬送可能なアジテータであって、前記第２方向において前記オーガと並ぶアジテータと、
前記第１方向における前記アジテータの一端部に装着され、前記アジテータとともに回転可能なアジテータギアと、
前記第２方向において前記アジテータギアに対して前記オーガギアの反対側に位置し、第１位置から第２位置へ回転可能な検知ギアであって、穴または切欠きを有する検知ギアと、を備え、
前記検知ギアが前記第１位置である場合に、前記穴または前記切欠きは、前記第２方向における前記筐体の他端部の外表面よりも前記オーガから離れて位置し、
前記検知ギアが前記第２位置である場合に、前記検知ギアの外表面であって、前記穴または前記切欠きとは異なる前記検知ギアの前記外表面は、前記第２方向における前記筐体の他端部の外表面よりも前記オーガから離れて位置することを特徴とする、トナーカートリッジ。
【請求項２】
発光素子と前記第１方向において前記発光素子と間隔を隔てて位置する受光素子とを備える画像形成装置に着脱可能であり、
前記画像形成装置に装着された状態において、前記検知ギアが第１位置である場合に、前記穴または前記切欠きは、前記第１方向において、前記発光素子と前記受光素子との間に位置し、
前記画像形成装置に装着された状態において、前記検知ギアが第２位置である場合に、前記検知ギアの前記外表面は、前記第１方向において、前記発光素子と前記受光素子との間に位置する請求項１に記載のトナーカートリッジ。
【請求項３】
前記画像形成装置は、前記発光素子を支持する第１側壁と、前記受光素子を支持する第２側壁であって、前記第１方向において前記第１側壁と間隔を隔てて位置する第２側壁とを備え、
前記画像形成装置に装着された状態で、前記第１側壁と前記第２側壁との間に位置することを特徴とする、請求項２に記載のトナーカートリッジ。
【請求項４】
前記検知ギアが前記第１位置である場合に、前記第２方向における前記検知ギアの前記外表面と前記オーガとの距離は、前記第２方向における前記穴または前記切欠きと前記オーガとの距離よりも短く、
前記検知ギアが前記第２位置である場合に、前記第２方向における前記検知ギアの前記外表面と前記オーガとの距離は、前記第２方向における前記穴または前記切欠きと前記オーガとの距離よりも長いことを特徴とする、請求項１から請求項３のいずれか一項に記載のトナーカートリッジ。
【請求項５】
前記検知ギアが前記第１位置である場合に、前記穴または前記切欠きは、前記アジテータの回転周囲外に位置し、
前記検知ギアが前記第２位置である場合に、前記検知ギアの前記外表面は、前記アジテータの回転周囲外に位置することを特徴とする、請求項１から請求項３のいずれか一項に記載のトナーカートリッジ。
【請求項６】
前記検知ギアが前記第１位置である場合に、前記第１方向において、前記穴または前記切欠きは、前記筐体と重ならず、前記検知ギアの前記外表面は、前記筐体と重なり、
前記検知ギアが前記第２位置である場合に、前記第１方向において、前記穴または前記切欠きは、前記筐体と重なり、
前記検知ギアが前記第２位置である場合に、前記第１方向において、前記検知ギアの前記外表面は、前記筐体と重ならないことを特徴とする、請求項１から請求項３のいずれか一項に記載のトナーカートリッジ。
【請求項７】
前記トナーカートリッジは、さらに、
前記第１方向における前記筐体の一端部に位置する第１突起と、
前記第１方向における前記筐体の他端部に位置し、前記第１方向において、前記筐体に対して前記オーガギアの反対側に位置する第２突起と、を備え、
前記検知ギアは、前記第２方向において、前記アジテータギアに対して、前記第１突起の反対側に位置することを特徴とする、請求項１から請求項６のいずれか一項に記載のトナーカートリッジ。
【請求項８】
前記検知ギアは、複数のギア歯を備え、
前記検知ギアが前記第１位置である場合に、前記複数のギア歯は、前記アジテータギアと噛み合い、
前記検知ギアが前記第２位置である場合に、前記複数のギア歯は、前記アジテータギアと噛み合わないことを特徴とする、請求項１から請求項７のいずれか一項に記載のトナーカートリッジ。
【請求項９】
前記検知ギアが前記第１位置である場合に、前記複数のギア歯は、前記第１方向において、前記アジテータの回転周囲と重なり、
前記検知ギアが前記第２位置である場合に、前記複数のギア歯は、前記第１方向において、前記アジテータの回転周囲と重ならないことを特徴とする、請求項８に記載のトナーカートリッジ。
【請求項１０】
前記検知ギアの回転方向における前記複数のギア歯の長さは、前記検知ギアの回転方向における前記検知ギアの前記外表面の長さよりも短いことを特徴とする、請求項８または請求項９に記載のトナーカートリッジ。
【請求項１１】
前記検知ギアの径は、前記オーガギアの径よりも大きく、前記アジテータギアの径よりも小さいことを特徴とする、請求項８から請求項１０のいずれか一項に記載のトナーカートリッジ。
【請求項１２】
前記複数のギア歯は、前記第１方向において、前記筐体と前記検知ギアの前記外表面との間に位置することを特徴とする、請求項８から請求項１１のいずれか一項に記載のトナーカートリッジ。
【請求項１３】
前記複数のギア歯は、前記検知ギアの径方向における前記検知ギアの前記外表面の端に位置することを特徴とする、請求項８から請求項１２のいずれか一項に記載のトナーカートリッジ。
【請求項１４】
前記検知ギアは、前記アジテータギアとの接触により生じる摩擦力によって前記検知ギアを回転させる摩擦部を備え、
前記検知ギアが前記第１位置である場合に、前記摩擦部は、前記アジテータギアと接触し、
前記検知ギアが前記第２位置である場合に、前記摩擦部は、前記アジテータギアと接触しないことを特徴とする、請求項１から請求項７のいずれか一項に記載のトナーカートリッジ。
【請求項１５】
前記トナーカートリッジは、前記アジテータギア、前記オーガギアおよび前記検知ギアを覆うギアカバーをさらに備え、
前記ギアカバーは、前記検知ギアが前記第１位置である場合に、前記第１方向において、前記検知ギアの前記穴または前記切欠きと並ぶ第２穴を有することを特徴とする、請求項１から請求項１４のいずれか一項に記載のトナーカートリッジ。
【請求項１６】
前記第２穴は、前記第２方向において、前記第２方向における前記筐体の他端部の外表面よりも前記オーガから離れて位置することを特徴とする、請求項１５に記載のトナーカートリッジ。
【請求項１７】
前記第２方向における前記筐体の他端部の外表面から前記第２方向に延びるフレームを備え、
前記フレームは、前記第１方向において、前記第２穴と並ぶ第３穴を有することを特徴とする請求項１５または請求項１６に記載のトナーカートリッジ。
【請求項１８】
前記筐体から前記第１方向に延びるボスであって、先端に第１孔を有するボスを備え、
前記検知ギアは、前記ボスについて回転可能であり、前記ボスに嵌る第２孔を有し、
前記ギアカバーは、前記第１孔および前記第２孔に嵌る突起を有することを特徴とする請求項１５から請求項１７のいずれか一項に記載のトナーカートリッジ。
【請求項１９】
前記トナーカートリッジは、ハンドルを、さらに備え、
前記ハンドルは、前記第２穴に沿って凹む凹部を有することを特徴とする、請求項１５から請求項１８のいずれか一項に記載のトナーカートリッジ。
【請求項２０】
前記トナーカートリッジは、現像器に対して装着されるように構成され、
前記ギアカバーは、前記トナーカートリッジが前記現像器に対して装着されている状態で、前記現像器のロック部材によってロックされるロック部を備えることを特徴とする、請求項１５から請求項１９のいずれか一項に記載のトナーカートリッジ。
【請求項２１】
前記オーガギアに噛み合い、かつ、前記アジテータギアに噛み合うアイドルギアであって、前記第２方向において前記アジテータギアに対して前記検知ギアの反対側に位置するアイドルギアを備えることを特徴とする、請求項１から請求項２０のいずれか一項に記載のトナーカートリッジ。
【請求項２２】
トナーを収容可能な筐体と、
第１方向に延びる第１軸について回転可能であり、前記トナーを前記第１方向に搬送可能なオーガであって、第２方向における前記筐体の一端部に位置するオーガと、
前記第１方向における前記オーガの一端部に装着され、前記オーガとともに回転可能なオーガギアと、
前記第１方向に延びる第２軸について回転可能なアジテータであって、前記トナーを撹拌可能であり、前記トナーを前記オーガへ向けて搬送可能なアジテータであって、前記第２方向において前記オーガと並ぶアジテータと、
前記第１方向における前記アジテータの一端部に装着され、前記アジテータとともに回転可能なアジテータギアと、
前記第２方向において前記アジテータギアに対して前記オーガギアの反対側に位置し、第１位置から第２位置へ回転可能な検知ギアであって、光透過部と光遮断部とを有する検知ギアと、を備え、
前記検知ギアが前記第１位置である場合に、前記光透過部は、前記第２方向における前記筐体の他端部の外表面よりも前記オーガから離れて位置し、
前記検知ギアが前記第２位置である場合に、前記光遮断部は、前記第２方向における前記筐体の他端部の外表面よりも前記オーガから離れて位置することを特徴とするトナーカートリッジ。
【請求項２３】
前記光透過部の透過率は、前記光遮断部の透過率よりも大きいことを特徴とする、請求項２２に記載のトナーカートリッジ。
【請求項２４】
発光素子と前記第１方向において前記発光素子と間隔を隔てて位置する受光素子とを備える画像形成装置に着脱可能であり、
前記画像形成装置に装着された状態において、
前記検知ギアが第１位置である場合に、前記光透過部は、前記第１方向において、前記発光素子と前記受光素子との間に位置し、
前記検知ギアが第２位置である場合に、前記光遮断部は、前記第１方向において、前記発光素子と前記受光素子との間に位置することを特徴とする、請求項２２または請求項２３に記載のトナーカートリッジ。
【請求項２５】
前記画像形成装置は、前記発光素子を支持する第１側壁と、前記受光素子を支持する第２側壁であって、前記第１方向において前記第１側壁と間隔を隔てて位置する第２側壁とを備え、
前記画像形成装置に装着された状態で、前記第１側壁と前記第２側壁との間に位置することを特徴とする、請求項２４に記載のトナーカートリッジ。
【請求項２６】
前記検知ギアが前記第１位置である場合に、前記第２方向における前記光遮断部と前記オーガとの距離は、前記第２方向における前記光透過部と前記オーガとの距離よりも短く、
前記検知ギアが前記第２位置である場合に、前記第２方向における前記光遮断部と前記オーガとの距離は、前記第２方向における前記光透過部と前記オーガとの距離よりも長いことを特徴とする、請求項２４または請求項２５に記載のトナーカートリッジ。
【請求項２７】
前記検知ギアが前記第１位置である場合に、前記光透過部は、前記アジテータの回転周囲外に位置し、
前記検知ギアが前記第２位置である場合に、前記光遮断部の一部は、前記アジテータの回転周囲外に位置することを特徴とする、請求項２４または請求項２５に記載のトナーカートリッジ。
【請求項２８】
前記検知ギアが前記第１位置に位置するとき、前記第１方向において、前記光透過部は、前記筐体と重ならず、前記光遮断部の一部は、前記筐体と重なり、
前記検知ギアが前記第２位置に位置するとき、前記第１方向において、前記光透過部は、前記筐体と重なり、前記光遮断部の一部は、前記筐体と重ならないことを特徴とする、請求項２４または請求項２５に記載のトナーカートリッジ。
【請求項２９】
前記トナーカートリッジは、さらに、
前記第１方向における前記筐体の一端部に位置する第１突起と、
前記第１方向における前記筐体の他端部に位置し、前記第１方向において、前記筐体に対して、前記オーガギアの反対側に位置する第２突起と、を備え、
前記検知ギアは、前記第２方向において、前記アジテータギアに対して、前記第１突起の反対側に位置することを特徴とする、請求項２２から請求項２８のいずれか一項に記載のトナーカートリッジ。
【請求項３０】
前記検知ギアは、複数のギア歯を備え、
前記検知ギアが前記第１位置である場合に、前記複数のギア歯は、前記アジテータギアと噛み合い、
前記検知ギアが前記第２位置である場合に、前記複数のギア歯は、前記アジテータギアと噛み合わないことを特徴とする、請求項２２から請求項２９のいずれか一項に記載のトナーカートリッジ。
【請求項３１】
前記検知ギアが前記第１位置に位置するとき、前記複数のギア歯は、前記第１方向において、前記アジテータの回転周囲と重なり、
前記検知ギアが前記第２位置に位置するとき、前記複数のギア歯は、前記第１方向において、前記アジテータの回転周囲と重ならないことを特徴とする、請求項３０に記載のトナーカートリッジ。
【請求項３２】
前記検知ギアの回転方向における前記複数のギア歯の長さは、前記検知ギアの回転方向における前記光遮断部の長さよりも短いことを特徴とする、請求項３０または請求項３１に記載のトナーカートリッジ。
【請求項３３】
前記検知ギアの径は、前記オーガギアの径よりも大きく、前記アジテータギアの径よりも小さいことを特徴とする、請求項３０から請求項３２のいずれか一項に記載のトナーカートリッジ。
【請求項３４】
前記複数のギア歯は、前記第１方向において、前記筐体と前記光遮断部との間に位置することを特徴とする、請求項３０から請求項３３のいずれか一項に記載のトナーカートリッジ。
【請求項３５】
前記複数のギア歯は、前記検知ギアの径方向における前記光遮断部の端に位置することを特徴とする、請求項３０から請求項３４のいずれか一項に記載のトナーカートリッジ。
【請求項３６】
前記検知ギアは、前記アジテータギアとの接触により生じる摩擦力によって前記検知ギアを回転させる摩擦部を備え、
前記検知ギアが前記第１位置である場合に、前記摩擦部は、前記アジテータギアと接触し、
前記検知ギアが前記第２位置である場合に、前記摩擦部は、前記アジテータギアと接触しないことを特徴とする、請求項２２から請求項２９のいずれか一項に記載のトナーカートリッジ。
【請求項３７】
前記アジテータギア、前記オーガギアおよび前記検知ギアを覆うギアカバーをさらに備え、
前記ギアカバーは、第２光透過部を備えることを特徴とする、請求項２２から請求項３６のいずれか一項に記載のトナーカートリッジ。
【請求項３８】
前記検知ギアが前記第１位置である場合に、前記第１方向において、前記光透過部は、前記第２光透過部と並び、
前記検知ギアが前記第２位置である場合に、前記第１方向において、前記光遮断部は、前記第２光透過部と並ぶことを特徴とする、請求項３７に記載のトナーカートリッジ。
【請求項３９】
前記第２光透過部は、前記第２方向において、前記第２方向における前記筐体の他端部の外表面よりも前記オーガから離れて位置することを特徴とする、請求項３７または請求項３８に記載のトナーカートリッジ。
【請求項４０】
前記第２方向における前記筐体の他端部の外表面から前記第２方向に延びるフレームを備え、
前記フレームは、前記第１方向において、前記第２光透過部と並ぶ第３光透過部を有することを特徴とする請求項３７から請求項３９のいずれか一項に記載のトナーカートリッジ。
【請求項４１】
前記筐体から前記第１方向に延びるボスであって、先端に第１孔を有するボスを備え、
前記検知ギアは、前記ボスについて回転可能であり、前記ボスに嵌る第２孔を有し、
前記ギアカバーは、前記第１孔および前記第２孔に嵌る突起を有することを特徴とする請求項３７から請求項４０のいずれか一項に記載のトナーカートリッジ。
【請求項４２】
前記トナーカートリッジは、現像器に対して装着されるように構成され、
前記ギアカバーは、前記トナーカートリッジが前記現像器に対して装着されている状態で、前記現像器のロック部材によってロックされるロック部を備えることを特徴とする、請求項３７から請求項４１のいずれか一項に記載のトナーカートリッジ。
【請求項４３】
前記オーガギアに噛み合い、かつ、前記アジテータギアに噛み合うアイドルギアであって、前記第２方向において前記アジテータギアに対して前記検知ギアの反対側に位置するアイドルギアを備えることを特徴とする、請求項２２から請求項４２のいずれか一項に記載のトナーカートリッジ。
【請求項４４】
前記筐体は、
前記第１方向に延び、前記オーガを収容する第１収容部と、
前記第１方向に延び、前記アジテータを収容する第２収容部と、を有し、
前記第２方向は、前記第１収容部と第２収容部とが並ぶ方向であることを特徴とする請求項１から請求項４３のいずれか一項に記載のトナーカートリッジ。
【請求項４５】
前記第２方向は、前記第１軸と前記第２軸とを結ぶ方向であることを特徴とする、請求項１から請求項４４のいずれか一項に記載のトナーカートリッジ。
【請求項４６】
前記オーガは、前記第１軸の回転周囲に位置し、前記筐体の内部に位置する螺旋部を有することを特徴とする、請求項１から請求項４５のいずれか一項に記載のトナーカートリッジ。
【請求項４７】
前記第１方向における前記オーガの一端部は、前記筐体の外部に位置することを特徴とする、請求項１から請求項４６のいずれか一項に記載のトナーカートリッジ。
【請求項４８】
前記アジテータは、前記第２軸の回転周囲の位置し、前記筐体の内部に位置する本体部を有することを特徴とする、請求項１から請求項４７のいずれか一項に記載のトナーカートリッジ。
【請求項４９】
前記第１方向における前記アジテータの一端部は、前記筐体の外部に位置することを特徴とする、請求項１から請求項４８のいずれか一項に記載のトナーカートリッジ。
【請求項５０】
前記オーガギアおよび前記アジテータギアは、前記第１方向における前記筐体の一端部に位置し、
前記筐体は、前記第１方向における他端部にトナー排出口を有することを特徴とする請求項１から請求項４９のいずれか一項に記載のトナーカートリッジ。
【発明の詳細な説明】
【技術分野】
【０００１】
本開示は、トナーカートリッジに関する。
【背景技術】
【０００２】
従来、トナーを収容可能な筐体と、検知ギアと、を備えるトナーカートリッジが知られている。検知ギアは、トナーカートリッジが画像形成装置に装着された状態において、第１位置から第２位置へと回転する。また、検知ギアは、第１位置から第２位置へと回転したときに、筐体の一方側に配置された発光素子と筐体の一方側に配置された受光素子との間に位置することで、発光素子によって発光された光を遮断する。
【先行技術文献】
【特許文献】
【０００３】
【特許文献１】特開２０００−８１８１４号公報
【発明の概要】
【発明が解決しようとする課題】
【０００４】
一方、発光素子を筐体の一方側に配置し、受光素子を筐体の他方側に配置したい場合がある。この場合、特許文献１に記載のトナーカートリッジのように、検知ギアの全てが筐体と重なって配置されていると、発光素子と受光素子との間に、検知ギアに加え、筐体も配置されることとなる。そのため、発光素子から発光された光を受光素子によって受光することができない。すなわち、検知ギアの第１位置から第２位置への移動を検知することができない。
【０００５】
そこで、本開示の目的は、筐体の一方側に発光素子が配置され、筐体の他方側に受光素子が配置された場合であっても、検知ギアの移動を検知させることができるトナーカートリッジを提供することにある。
【課題を解決するための手段】
【０００６】
本開示のトナーカートリッジは、筐体と、オーガと、オーガギアと、アジテータと、アジテータギアと、検知ギアとを備える。筐体は、トナーを収容可能である。オーガは、第１方向に延びる第１軸について回転可能である。オーガは、トナーを第１方向に搬送可能である。オーガは、第２方向における筐体の一端部に位置する。オーガギアは、第１方向におけるオーガの一端部に装着される。オーガギアは、オーガとともに回転可能である。アジテータは、第１方向に延びる第２軸について回転可能である。アジテータは、トナーを撹拌可能である。アジテータは、トナーをオーガへ向けて搬送可能である。アジテータは、第２方向においてオーガと並ぶ。アジテータギアは、第１方向におけるアジテータの一端部に装着される。アジテータギアは、アジテータとともに回転可能である。検知ギアは、第２方向においてアジテータギアに対してオーガギアの反対側に位置する。検知ギアは、第１位置から第２位置へ回転可能である。検知ギアは、穴または切欠きを有する。
【０００７】
検知ギアが第１位置である場合に、穴または切欠きは、第２方向における筐体の他端部の外表面よりもオーガから離れて位置する。
【０００８】
検知ギアが第２位置である場合に、検知ギアの外表面であって、穴または切欠きとは異なる検知ギアの外表面は、第２方向における筐体の他端部の外表面よりもオーガから離れて位置する。
【０００９】
このような構成によれば、検知ギアは、第２方向において、アジテータギアに対して、オーガギアの反対側に位置する。そして、検知ギアが第１位置である場合に、穴または切欠きは、第２方向における筐体の他端部の外表面よりもオーガから離れて位置する。また、検知ギアが第２位置である場合に、検知ギアの外表面は、第２方向における筐体の他端部の外表面よりもオーガから離れて位置する。
【００１０】
これにより、筐体の一方側に発光素子が配置され、筐体の他方側に受光素子が配置された場合であっても、検知ギアの移動を検知させることができる。
【発明の効果】
【００１１】
本開示のトナーカートリッジによれば、筐体の一方側に発光素子が配置され、筐体の他方側に受光素子が配置された場合であっても、検知ギアの移動を検知させることができる。
【図面の簡単な説明】
【００１２】
【図１】図１は、トナーカートリッジの斜視図である。
【図２】図２は、図１に示すトナーカートリッジのＡ−Ａ断面図である。
【図３】図３は、図１に示すトナーカートリッジの側面図であって、ギアカバーが筐体から取り外された状態を示す。
【図４】図４は、図３に示す検知ギアが第２位置に位置した状態を示す。
【図５】図５Ａは、図３に示す検知ギアの斜視図である。図５Ｂは、図５Ａに示す検知ギアの側面図である。
【図６】図６は、図１に示すトナーカートリッジの側面図であって、ギアカバーが筐体に取り付けられた状態を示す。
【図７】図７Ａは、トナーカートリッジが現像器に取り付けられた状態を説明するための説明図である。図７Ｂは、トナーカートリッジが現像器に装着された状態を説明するための説明図である。
【図８】図８は、画像形成装置に対する現像器およびトナーカートリッジの装着状態を説明するための説明図である。
【図９】図９は、現像器およびトナーカートリッジが画像形成装置に装着されたときの、発光素子および受光素子と、トナーカートリッジとの位置関係を説明するための説明図である。
【図１０】図１０Ａは、検知ギアの変形例を説明するための説明図であって、検知ギアが穴を有する場合を示す。図１０Ｂは、検知ギアの変形例を説明するための説明図であって、検知ギアが光透過部を有する場合を示す。図１０Ｃは、検知ギアの変形例を説明するための説明図であって、ギア歯が検知ギアの径方向における検知ギアの外表面の端に位置する場合を示す。
【図１１】図１１Ａは、ギアカバーの変形例を説明するための説明図であって、ギアカバーが第２切欠きを有する場合を示す。図１１Ｂは、ギアカバーの変形例を説明するための説明図であって、ギアカバーが第２光透過部を有する場合を示す。
【発明を実施するための形態】
【００１３】
１．トナーカートリッジ１の概略
トナーカートリッジ１の概略について説明する。
【００１４】
図１から図３に示すように、トナーカートリッジ１は、筐体２と、オーガ３と、アジテータ４と、第１突起５と、第２突起６と、オーガギア１１と、アジテータギア１２と、アイドルギア１３と、検知ギア１４と、ギアカバー１５と、フレーム１６と、ハンドル１７とを備える。
【００１５】
１．１  筐体２
図１に示すように、筐体２は、トナーを収容可能である。筐体２は、第１方向に延びる。筐体２は、第１方向において、一端部Ｅ１と他端部Ｅ２とを有する。他端部Ｅ２は、第１方向において、一端部Ｅ１に対して間隔を隔てて位置する。筐体２は、第１収容部２Ａと、第２収容部２Ｂとを有する。
【００１６】
第１収容部２Ａは、第１方向に延びる。図２に示すように、第１収容部２Ａは、円筒形状を有する。第１収容部２Ａは、トナーを収容可能である。第１収容部２Ａは、オーガ３を収容する。第２収容部２Ｂは、第１方向に延びる。第２収容部２Ｂは、円筒形状を有する。第２収容部２Ｂは、トナーを収容可能である。第２収容部２Ｂの外径は、第１収容部２Ａの外径よりも大きい。第２収容部２Ｂは、アジテータ４を収容する。第２収容部２Ｂは、第２方向において、第１収容部２Ａの一方側に位置する。第２方向は、第１収容部２Ａと第２収容部２Ｂとが並ぶ方向である。詳しくは、第２方向は、後述する第１軸Ａ１と、後述する第２軸Ａ２とを結ぶ方向である。第１収容部２Ａは、第２収容部２Ｂと接続する。
【００１７】
また、図１に示すように、筐体２は、トナー排出口２Ｃを有する。トナー排出口２Ｃは、第１収容部２Ａ内のトナーを排出するための開口である。トナー排出口２Ｃは、第１方向における筐体２の他端部Ｅ２に位置する。トナー排出口２Ｃは、第１方向において、第１収容部２Ａと並ぶ。詳しくは、トナー排出口２Ｃは、第１方向において、第１収容部２Ａに対して、オーガギア１１の反対側に位置する。
【００１８】
１．２  オーガ３
図２に示すように、オーガ３は、トナーを第１方向に搬送可能である。これにより、オーガ３は、第１収容部２Ａ内のトナーをトナー排出口２Ｃへ搬送可能である。詳しくは、オーガ３は、第１方向に延びる。オーガ３は、第１方向に延びる第１軸Ａ１について回転可能である。オーガ３は、第２方向における筐体２の一端部に位置する。
【００１９】
オーガ３は、オーガシャフト３Ａと、螺旋部３Ｂとを有する。オーガシャフト３Ａは、第１軸Ａ１に沿って延びる。第１方向におけるオーガシャフト３Ａの一端部（図３参照）は、筐体２の外部に位置する。すなわち、第１方向におけるオーガ３の一端部は、筐体２の外部に位置する。螺旋部３Ｂは、第１軸Ａ１の回転周囲に位置する。螺旋部３Ｂは、オーガシャフト３Ａから、第１収容部２Ａの径方向に延びる。螺旋部３Ｂは、オーガシャフト３Ａとともに回転可能である。螺旋部３Ｂは、螺旋形状を有する。螺旋部３Ｂは、筐体２の内部に位置する。詳しくは、螺旋部３Ｂは、第１収容部２Ａの内部に位置する。螺旋部３Ｂは、オーガ３が回転したときに、トナーを第１方向に搬送する。
【００２０】
１．３  アジテータ４
アジテータ４は、トナーを撹拌可能であり、トナーをオーガ３へ向けて搬送可能である。これにより、アジテータ４は、第２収容部２Ｂ内のトナーを撹拌可能であり、第２収容部２Ｂ内のトナーを、第１収容部２Ａへ向けて搬送可能である。アジテータ４は、第１方向に延びる第２軸Ａ２について回転可能である。アジテータ４は、第２方向においてオーガ３と並ぶ。
【００２１】
アジテータ４は、アジテータシャフト４Ａと、本体部４Ｂとを有する。アジテータシャフト４Ａは、第２軸Ａ２に沿って延びる。第１方向におけるアジテータシャフト４Ａの一端部は、筐体２の外部に位置する。すなわち、第１方向におけるアジテータ４の一端部は、筐体２の外部に位置する。本体部４Ｂは、第２軸Ａ２の回転周囲に位置する。本体部４Ｂは、アジテータシャフト４Ａから、第２収容部２Ｂの径方向に延びる。本体部４Ｂは、アジテータシャフト４Ａとともに回転可能である。本体部４Ｂは、筐体２の内部に位置する。詳しくは、本体部４Ｂは、第２収容部２Ｂの内部に位置する。本体部４Ｂは、アジテータ４が回転したときに、トナーを、オーガ３へ向けて、第２方向に搬送する。
【００２２】
１．４  第１突起５および第２突起６
図１に示すように、第１突起５は、第１方向における筐体２の一端部Ｅ１に位置する。詳しくは、第１突起５は、ギアカバー１５から第１方向に延びる。第１突起５は、ギアカバー１５が一端部Ｅ１に取り付けられることにより、一端部Ｅ１に位置する。第１突起５は、第１方向において、第１収容部２Ａに対して、トナー排出口２Ｃの反対側に位置する。また、第１突起５は、第２方向に延びる。
【００２３】
第２突起６は、第１方向における筐体２の他端部Ｅ２に位置する。第２突起６は、第１方向において、筐体２に対して、オーガギア１１の反対側に位置する。また、第２突起６は、第１方向において、トナー排出口２Ｃに対して、第１収容部２Ａの反対側に位置する。第２突起６は、第１方向に延びる。また、第２突起６は、第２方向に延びる。
【００２４】
１．５  オーガギア１１
図３に示すように、オーガギア１１は、第１方向におけるオーガ３の一端部に装着される。詳しくは、オーガギア１１は、第１方向におけるオーガシャフト３Ａの一端部に装着される。これにより、オーガギア１１は、第１方向における筐体２の一端部Ｅ１に位置する。オーガギア１１は、オーガ３とともに回転可能である。
【００２５】
１．６  アジテータギア１２
アジテータギア１２は、第１方向におけるアジテータ４の一端部に装着される。詳しくは、アジテータギア１２は、第１方向におけるアジテータシャフト４Ａの一端部に装着される。これにより、アジテータギア１２は、第１方向における筐体２の一端部Ｅ１に位置する。アジテータギア１２は、アジテータ４とともに回転可能である。アジテータギア１２は、第２方向において、オーガギア１１と間隔を隔てて位置する。アジテータギア１２の径は、オーガギア１１の径よりも大きい。また、アジテータギア１２の径は、アイドルギア１３の径よりも大きい。これにより、アジテータ４は、オーガ３に対して遅い周速で回転できる。
【００２６】
１．７  アイドルギア１３
アイドルギア１３は、第１方向における筐体２の一端部Ｅ１に位置する。アイドルギア１３は、第１方向における筐体２の一端部Ｅ１に取り付けられる。アイドルギア１３は、筐体２に対して回転可能である。アイドルギア１３は、第２方向において、アジテータギア１２とオーガギア１１との間に位置する。また、アイドルギア１３は、第２方向において、アジテータギア１２に対して、検知ギア１４の反対側に位置する。アイドルギア１３は、オーガギア１１に噛み合い、かつ、アジテータギア１２に噛み合う。これにより、オーガギア１１は、アイドルギア１３を介して、アジテータギア１２に駆動力を伝えることができる。オーガギア１１からの駆動力により、アジテータギア１２は、オーガギア１１の回転に従って回転可能である。
【００２７】
１．８  検知ギア１４
トナーカートリッジ１が後述する画像形成装置１２０（図８参照）に装着された状態で、画像形成装置１２０は、検知ギア１４の位置を検知する。これにより、画像形成装置１２０は、トナーカートリッジ１の情報を検知する。
【００２８】
検知ギア１４は、第１位置（図３参照）から第２位置（図４参照）へ回転可能である。検知ギア１４は、第２方向において、アジテータギア１２に対して、オーガギア１１の反対側に位置する。そのため、検知ギア１４は、アジテータギア１２の回転に従って回転する。また、検知ギア１４は、第２方向において、アジテータギア１２に対して、第１突起５の反対側に位置する。これにより、後述する現像器１００にトナーカートリッジ１を取り付けるとき（図７Ａ参照）に、検知ギア１４が邪魔にならない。検知ギア１４は、第１方向における筐体２の一端部Ｅ１に位置する。検知ギア１４は、第１方向における筐体２の一端部Ｅ１に取り付けられる。詳しくは、検知ギア１４は、ボス２１に取り付けられる。ボス２１は、筐体２から第１方向に延びる。すなわち、トナーカートリッジ１は、ボス２１を備える。ボス２１は、円筒形状を有する。ボス２１は、先端に第１孔２１Ａを有する。検知ギア１４は、第２孔１４Ａを有する。第２孔１４Ａは、円形状である。第２孔１４Ａは、ボス２１に嵌る。これにより、検知ギア１４は、ボス２１について回転可能である。なお、第１孔２１Ａおよび第２孔１４Ａには、ギアカバー１５から延びる突起３３（図６参照）が嵌る。突起３３は、ギアカバー１５の内表面に位置する。突起３３は、第１方向に延びる。
【００２９】
１．９  ギアカバー１５
図１に示すように、ギアカバー１５は、オーガギア１１の一部と、アジテータギア１２と、アイドルギア１３と、検知ギア１４とを覆う。ギアカバー１５は、第１方向における筐体２の一端部Ｅ１に取り付けられる。
【００３０】
１．１０  フレーム１６
フレーム１６は、第２方向における筐体２の他端部の外表面Ｓ１から第２方向に延びる。フレーム１６は、ギアカバー１５とともに、検知ギア１４を覆う。言い換えると、フレーム１６は、ギアカバー１５とともに、検知ギア１４を収容する。
【００３１】
１．１１  ハンドル１７
ハンドル１７は、第１方向において、トナーカートリッジ１の中央部に位置する。ハンドル１７は、第１方向において、フレーム１６に対して、ギアカバー１５の反対側に位置する。ハンドル１７は、第２方向における筐体２の他端部の外表面Ｓ１に位置する。ハンドル１７は、第２方向において、オーガ３から離れる方向へ向かって、外表面Ｓ１から延びる。
【００３２】
２．検知ギアの構成
図３、図４、図５Ａおよび図５Ｂに示すように、検知ギア１４は、板形状を有する。検知ギア１４は、切欠き２２Ａを有する。検知ギア１４は、光遮断部２３を有する。光遮断部２３は、検知ギア１４の外表面Ｓ２である。検知ギア１４の外表面Ｓ２とは、切欠き２２Ａとは異なる部分のことである。なお、検知ギア１４の外表面Ｓ２とは、検知ギア１４のうち、図５Ａにおいて斜線を付した部分の外表面Ｓ２である。
【００３３】
さらに、検知ギア１４は、複数のギア歯２４と、第１リブ２５（図３参照）と、第２リブ２６（図３参照）とを備える。
【００３４】
２．１  切欠き２２Ａおよび外表面Ｓ２
図３および図４に示すように、切欠き２２Ａは、検知ギア１４の一部分であって、後述する光Ｌが通過することを許容する。検知ギア１４の外表面Ｓ２は、検知ギア１４の一部分であって、光を遮断する。検知ギア１４の外表面Ｓ２は、検知ギア１４の回転方向Ｒにおいて、切欠き２２Ａと並ぶ。すなわち、光遮断部２３は、検知ギア１４の回転方向Ｒにおいて、切欠き２２Ａと並ぶ。
【００３５】
図３に示すように、検知ギア１４が第１位置である場合に、切欠き２２Ａの少なくとも一部は、第２方向における筐体２の他端部の外表面Ｓ１よりもオーガ３から離れて位置する。
【００３６】
また、検知ギア１４が第１位置である場合に、第２方向における検知ギア１４の外表面Ｓ２とオーガ３との距離Ｄ１は、第２方向における切欠き２２Ａとオーガ３との距離Ｄ２よりも短い。すなわち、検知ギア１４が第１位置である場合に、第２方向における光遮断部２３とオーガ３との距離Ｄ１は、第２方向における切欠き２２Ａとオーガ３との距離Ｄ２よりも短い。詳しくは、検知ギア１４が第１位置である場合に、第２方向においてオーガ３に最も近い検知ギア１４の外表面Ｓ２の端部と、第１軸Ａ１との距離Ｄ１は、第２方向においてオーガ３から最も遠い切欠き２２Ａの端部と、第１軸Ａ１との距離Ｄ２よりも短い。すなわち、検知ギア１４が第１位置である場合に、第２方向においてオーガ３に最も近い光遮断部２３の端部と、第１軸Ａ１との距離Ｄ１は、第２方向においてオーガ３から最も遠い切欠き２２Ａの端部と、第１軸Ａ１との距離Ｄ２よりも短い。
【００３７】
また、検知ギア１４が第１位置である場合に、切欠き２２Ａの少なくとも一部は、アジテータ４の回転周囲３０外に位置する。なお、アジテータ４の回転周囲３０とは、アジテータ４が回転したときに、アジテータ４の本体部４Ｂが通る回転周囲をいう。
【００３８】
また、検知ギア１４が第１位置である場合に、第１方向において、切欠き２２Ａの少なくとも一部は、筐体２と重ならない。
【００３９】
また、検知ギア１４が第１位置に位置するとき、第１方向において、検知ギア１４の外表面Ｓ２の少なくとも一部は、筐体２と重なる。すなわち、検知ギア１４が第１位置に位置するとき、第１方向において、光遮断部２３の少なくとも一部は、筐体２と重なる。
【００４０】
また、図４に示すように、検知ギア１４が第２位置である場合に、検知ギア１４の外表面Ｓ２は、第２方向における筐体２の他端部の外表面Ｓ１よりもオーガ３から離れて位置する。すなわち、検知ギア１４が第２位置である場合に、光遮断部２３は、第２方向における筐体２の他端部の外表面Ｓ１よりもオーガ３から離れて位置する。
【００４１】
また、検知ギア１４が第２位置である場合に、第２方向における検知ギア１４の外表面Ｓ２とオーガ３との距離Ｄ３は、第２方向における切欠き２２Ａとオーガ３との距離Ｄ４よりも長い。すなわち、検知ギア１４が第２位置である場合に、第２方向における光遮断部２３とオーガ３との距離Ｄ３は、第２方向における切欠き２２Ａとオーガ３との距離Ｄ４よりも長い。詳しくは、検知ギア１４が第２位置である場合に、第２方向においてオーガ３から最も遠い検知ギア１４の外表面Ｓ２の端部と、第１軸Ａ１との距離Ｄ３は、第２方向においてオーガ３に最も近い切欠き２２Ａの端部と、第１軸Ａ１との距離Ｄ４よりも長い。すなわち、検知ギア１４が第２位置である場合に、第２方向においてオーガ３から最も遠い光遮断部２３の端部と、第１軸Ａ１との距離Ｄ３は、第２方向においてオーガ３に最も近い切欠き２２Ａの端部と、第１軸Ａ１との距離Ｄ４よりも長い。
【００４２】
また、検知ギア１４が第２位置である場合に、検知ギア１４の外表面Ｓ２の少なくとも一部は、アジテータ４の回転周囲３０外に位置する。すなわち、検知ギア１４が第２位置である場合に、光遮断部２３の少なくとも一部は、アジテータ４の回転周囲３０外に位置する。
【００４３】
また、検知ギア１４が第２位置である場合に、第１方向において、切欠き２２Ａの少なくとも一部は、筐体２と重なる。
【００４４】
また、検知ギア１４が第２位置である場合に、第１方向において、検知ギア１４の外表面Ｓ２は、筐体２と重ならない。検知ギア１４が第２位置に位置するとき、第１方向において、光遮断部２３の少なくとも一部は、筐体２と重ならない。
【００４５】
２．２  複数のギア歯２４
図５Ａに示すように、複数のギア歯２４は、第１方向において、筐体２と検知ギア１４の外表面Ｓ２との間に位置する。すなわち、複数のギア歯２４は、第１方向において、筐体２と光遮断部２３との間に位置する。複数のギア歯２４は、検知ギア１４の回転方向Ｒ（図３参照）に並ぶ。検知ギア１４の径は、オーガギア１１の径よりも大きく、アジテータギア１２の径よりも小さい。図５Ｂに示すように、検知ギア１４の回転方向Ｒにおける複数のギア歯２４の長さＬ１は、検知ギア１４の回転方向Ｒにおける検知ギア１４の外表面Ｓ２の長さＬ２よりも短い。すなわち、検知ギア１４の回転方向Ｒにおける複数のギア歯２４の長さＬ１は、検知ギア１４の回転方向Ｒにおける光遮断部２３の長さＬ２よりも短い。すなわち、複数のギア歯２４の中心角度θ１は、検知ギア１４の外表面Ｓ２の中心角度θ２よりも小さい。すなわち、複数のギア歯２４の中心角度θ１は、光遮断部２３の中心角度θ２よりも小さい。
【００４６】
図３に示すように、検知ギア１４が第１位置である場合に、複数のギア歯２４の少なくとも１つは、アジテータギア１２と噛み合う。これにより、検知ギア１４は、アジテータギア１２の回転に従って第１位置から第２位置へ回転可能である。検知ギア１４が第１位置である場合に、複数のギア歯２４の少なくとも一部は、第１方向において、アジテータ４の回転周囲３０（図２参照）と重なる。詳しくは、検知ギア１４が第１位置である場合に、複数のギア歯２４のうち、検知ギア１４の回転方向Ｒにおいて最も下流側に位置するギア歯２４は、第１方向において、アジテータ４の回転周囲３０と重なる。
【００４７】
また、図４に示すように、検知ギア１４が第２位置である場合に、複数のギア歯２４は、アジテータギア１２と噛み合わない。これにより、検知ギア１４は、第２位置において、回転を停止する。検知ギア１４が第２位置である場合に、複数のギア歯２４の少なくとも一部は、第１方向において、アジテータ４の回転周囲３０と重ならない。詳しくは、検知ギア１４が第２位置である場合に、複数のギア歯２４のうち、検知ギア１４の回転方向Ｒにおいて最も下流側に位置するギア歯２４は、第１方向において、アジテータ４の回転周囲３０と重なる。
【００４８】
２．３  第１リブ２５および第２リブ２６
図３に示すように、第１リブ２５および第２リブ２６は、第１方向において、光遮断部２３に対して、複数のギア歯２４の反対側に位置する。第１リブ２５は、検知ギア１４が第１位置である場合に、ばね２７によって、検知ギア１４の回転方向Ｒに向かって押圧される。これにより、検知ギア１４は、複数のギア歯２４の少なくとも１つがアジテータギア１２に噛み合った状態で、第１位置に位置決めされる。第２リブ２６は、図４に示すように、検知ギア１４が第２位置である場合に、ばね２７によって、検知ギア１４の回転方向Ｒに向かって押圧される。これにより、検知ギア１４は、複数のギア歯２４がアジテータギア１２から離間した状態で、第２位置に位置決めされる。
【００４９】
３．ギアカバー１５の構成
図６に示すように、ギアカバー１５は、第２穴３１Ａを有する。第２穴３１Ａは、貫通穴であり、光が通過することを許容する。第２穴３１Ａは、第２方向において、第２方向における筐体２の他端部の外表面Ｓ１よりもオーガ３から離れて位置する。
【００５０】
図３に示すように、第２穴３１Ａは、検知ギア１４が第１位置である場合に、第１方向において、検知ギア１４の切欠き２２Ａと並ぶ。これにより、第１方向において、第２穴３１Ａを通過した光は、さらに、切欠き２２Ａを通過する。
【００５１】
また、図４に示すように、検知ギア１４が第２位置である場合に、第１方向において、検知ギア１４の外表面Ｓ２は、第２穴３１Ａと並ぶ。これにより、第１方向において、第２穴３１Ａを通過した光は、検知ギア１４の外表面Ｓ２によって、遮断される。すなわち、検知ギア１４が第２位置である場合に、第１方向において、光遮断部２３は、第２穴３１Ａと並ぶ。これにより、第１方向において、第２穴３１Ａを通過した光は、光遮断部２３によって、遮断される。
【００５２】
また、図６に示すように、ギアカバー１５は、さらに、ロック部３２を備える。
【００５３】
ロック部３２は、トナーカートリッジ１が現像器１００に対して装着されている状態で、後述する現像器１００のロック部材１０１（図７参照）によってロックされる。ロック部３２がロックされることにより、検知ギア１４が振動することを抑制できる。これにより、第２穴３１Ａまたは切欠き２２Ａの位置が変動することを抑制できる。その結果、後述する受光素子１２６（図９参照）が、後述する発光素子１２５（図９参照）からの光Ｌを精度良く検知できる。ロック部３２は、ギアカバー１５の外表面に位置する。ロック部３２は、ギアカバー１５の外表面から、第１方向に突出する。ロック部３２は、第２方向において、オーガ３と第２穴３１Ａとの間に位置する。ロック部３２は、第２方向に延びる。
【００５４】
４．  フレーム１６の構成
図３に示すように、フレーム１６は、第３穴４１Ａを有する。第３穴４１Ａは、貫通穴であり、光が通過することを許容する。第３穴４１Ａは、第１方向において、第２穴３１Ａ（図６参照）と並ぶ。これにより、第３穴４１Ａによって光を絞ることができるので、後述する受光素子１２６（図９参照）が、後述する発光素子１２５（図９参照）からの光Ｌを精度良く検知できる。また、第３穴４１Ａは、検知ギア１４が第１位置である場合（図３参照）に、第１方向において、検知ギア１４の切欠き２２Ａと並ぶ。これにより、第１方向において、第２穴３１Ａおよび切欠き２２Ａを通過した光は、さらに、第３穴４１Ａを通過する。
【００５５】
５．ハンドル１７の構成
図１に示すように、ハンドル１７は、凹部４２を有する。凹部４２は、第１方向において第２穴３１Ａおよび第３穴４１Ａと重ならないように、第２穴３１Ａおよび第３穴４１Ａに沿って凹む。これにより、ハンドル１７が、後述する発光素子１２５（図９参照）から発光される光Ｌを邪魔しない。詳しくは、第１方向において、第２穴３１Ａ、切欠き２２Ａおよび第３穴４１Ａを通過した光は、さらに、凹部４２を通過する。
【００５６】
６．現像器１００へのトナーカートリッジ１の装着
次いで、図７Ａおよび図７Ｂを参照して、現像ローラ１０２を有する現像器１００に対するトナーカートリッジ１の装着状態について説明する。
【００５７】
トナーカートリッジ１の第１突起５および第２突起６が、現像器１００に挿入されることで、トナーカートリッジ１は、現像器１００に取り付けられる。すなわち、トナーカートリッジは、現像器１００に位置決めされる。トナーカートリッジ１が現像器１００に取り付けられた後、図７Ａに示す状態から図７Ｂに示す状態へピボットすることにより、トナーカートリッジ１は、現像器１００に装着される。
【００５８】
なお、トナーカートリッジ１がピボットするとは、トナーカートリッジ１が、第１軸Ａ１について回動することをいう。また、トナーカートリッジ１が現像器１００に取り付けられるとは、現像器１００にトナーを供給不可能な状態であり、トナーカートリッジ１が現像器１００にピボットする前の状態のことをいう。一方、トナーカートリッジ１が現像器１００に装着されるとは、現像器１００にトナーを供給可能な状態あり、トナーカートリッジ１がピボットした後の状態のことをいう。さらに、トナーカートリッジは、現像器１００に装着された状態で、図８に示すように、画像形成装置１２０に着脱される。
【００５９】
７．画像形成装置１２０へのトナーカートリッジ１の装着
次いで、図９を参照して、画像形成装置１２０へのトナーカートリッジ１の装着について説明する。
【００６０】
図９に示すように、画像形成装置１２０は、第１側壁１２０Ａと、第２側壁１２０Ｂと、発光素子１２５と、受光素子１２６とを備える。
【００６１】
第１側壁１２０Ａは、現像器１００およびトナーカートリッジ１が画像形成装置１２０に装着された状態で、第１方向において、トナーカートリッジ１のギアカバー１５に向かい合う。第１側壁１２０Ａは、発光素子１２５を支持する。
【００６２】
第２側壁１２０Ｂは、第１方向において、第１側壁１２０Ａと間隔を隔てて位置する。トナーカートリッジ１は、画像形成装置１２０に装着された状態で、第１側壁１２０Ａと第２側壁１２０Ｂとの間に位置する。第１側壁１２０Ａは、現像器１００およびトナーカートリッジ１が画像形成装置１２０に装着された状態で、第１方向において、現像器１００およびトナーカートリッジ１に対して、第１側壁１２０Ａの反対側に位置する。第２側壁１２０Ｂは、受光素子１２６を支持する。
【００６３】
発光素子１２５は、現像器１００およびトナーカートリッジ１が画像形成装置１２０に装着された状態で、第１方向において、第２穴３１Ａ（図７Ｂ）に向かい合う。この状態で、発光素子１２５は、第１方向に沿って、第２穴３１Ａに向かって光Ｌを出射する。
【００６４】
受光素子１２６は、第１方向において、発光素子１２５と間隔を隔てて位置する。受光素子１２６は、第１方向において、発光素子１２５と向かい合う。
【００６５】
そして、トナーカートリッジ１が画像形成装置１２０に装着された状態において、検知ギア１４が第１位置である場合に、切欠き２２Ａ（図３参照）は、第１方向において、発光素子１２５と受光素子１２６との間に位置する。
【００６６】
これにより、トナーカートリッジ１が画像形成装置１２０に装着された状態において、検知ギア１４が第１位置である場合に、光Ｌは、第２穴３１Ａ（図６参照）、切欠き２２Ａおよび第３穴４１Ａ（図３参照）を通過して、受光素子１２６に受光される。
【００６７】
また、トナーカートリッジ１が画像形成装置１２０に装着された状態において、検知ギア１４が第２位置である場合に、検知ギア１４の外表面Ｓ２は、第１方向において、発光素子１２５と受光素子１２６との間に位置する。言い換えると、トナーカートリッジ１が画像形成装置１２０に装着された状態において、検知ギア１４が第２位置である場合に、光遮断部２３は、第１方向において、発光素子１２５と受光素子１２６との間に位置する。
【００６８】
これにより、トナーカートリッジ１が画像形成装置１２０に装着された状態において、検知ギア１４が第２位置である場合に、光Ｌは、検知ギア１４の外表面Ｓ２によって遮断され、受光素子１２６に受光されない。言い換えると、トナーカートリッジ１が画像形成装置１２０に装着された状態において、検知ギア１４が第２位置である場合に、光Ｌは、光遮断部２３によって遮断され、受光素子１２６に受光されない。
【００６９】
８．トナーカートリッジ１の動作
次いで、図３および図４を参照して、画像形成装置１２０がトナーカートリッジ１の情報を読み取るときにおけるトナーカートリッジ１の動作について、説明する。
【００７０】
トナーカートリッジ１が画像形成装置１２０に装着され、検知ギア１４が第１位置に位置する場合、光Ｌ（図９参照）は、第２穴３１Ａ（図６参照）、切欠き２２Ａおよび第３穴４１Ａ（図３参照）を通過して、受光素子１２６に受光される。すると、受光素子１２６は、光Ｌを検知する。
【００７１】
次いで、画像形成装置１２０がトナーカートリッジ１の情報を読み取るための動作を実行すると、画像形成装置１２０からの駆動力により、オーガギア１１が回転する。
【００７２】
すると、図３および図４に示すように、アイドルギア１３およびアジテータギア１２を介して、検知ギア１４に駆動力が伝わり、検知ギア１４が、図３に示す第１位置から、図４に示す第２位置へ回転する。検知ギア１４が第２位置に位置すると、複数のギア歯２４がアジテータギア１２から離れることにより、検知ギア１４が停止する。
【００７３】
これにより、光Ｌは、検知ギア１４の外表面Ｓ２によって遮断され、受光素子１２６に受光されない。すると、受光素子１２６は、光Ｌを検知しない。
【００７４】
画像形成装置１２０がトナーカートリッジ１の情報を読み取るための動作を実行している間に、受光素子１２６が光Ｌを検知し、その後、受光素子１２６が光Ｌを検知しなくなった場合、画像形成装置１２０は、トナーカートリッジ１が新品であると判断する。
【００７５】
また、トナーカートリッジ１が画像形成装置１２０に装着されたときに、既に検知ギア１４が第２位置に位置する場合、画像形成装置１２０がトナーカートリッジ１の情報を読み取るための動作を実行しても、複数のギア歯２４がアジテータギア１２から離れているので、検知ギア１４は回転しない。そのため、画像形成装置１２０がトナーカートリッジ１の情報を読み取るための動作を実行している間、受光素子１２６は、光Ｌを検知しない。この場合、画像形成装置１２０は、トナーカートリッジ１が旧品であると判断する。
【００７６】
なお、トナーカートリッジ１の新旧は、トナーカートリッジ１の情報の一例である。トナーカートリッジの情報としては、例えば、トナーカートリッジ１の印刷可能枚数などが挙げられる。
【００７７】
また、画像形成装置１２０がトナーカートリッジ１の情報を読み取るための動作を実行している間に、受光素子１２６が光Ｌを検知しない場合、画像形成装置１２０は、トナーカートリッジ１が装着されていると判断する。
【００７８】
また、画像形成装置１２０がトナーカートリッジ１の情報を読み取るための動作を実行している間に、光Ｌが遮断されず、受光素子１２６が光Ｌを検知し続けた場合、画像形成装置１２０は、トナーカートリッジ１が装着されていないと判断する。
【００７９】
９．作用効果
トナーカートリッジ１によれば、図３に示すように、検知ギア１４は、第２方向において、アジテータギア１２に対して、オーガギア１１の反対側に位置する。そして、検知ギア１４が第１位置である場合に、切欠き２２Ａは、第２方向における筐体２の他端部の外表面Ｓ１よりもオーガ３から離れて位置する。また、検知ギア１４が第２位置である場合に、検知ギア１４の外表面Ｓ２は、外表面Ｓ１よりもオーガ３から離れて位置する。
【００８０】
これにより、オーガ３およびアジテータ４によってトナーを搬送するトナーカートリッジ１において、筐体２の一方側に発光素子１２５が配置され、筐体２の他方側に受光素子１２６が配置された場合であっても、検知ギア１４の移動を検知させることができる。
【００８１】
１０．変形例
１０．１  検知ギア１４の変形例
検知ギア１４は、切欠き２２Ａの代わりに、例えば、図１０Ａに示すように、穴２０１を有していてもよい。穴２０１は、貫通穴である。
【００８２】
また、検知ギア１４は、切欠き２２Ａまたは穴２０１の代わりに、例えば、図１０Ｂに示すように、光透過部２２を有していてもよい。光透過部２２の透過率は、検知ギア１４の外表面Ｓ２の透過率よりも大きい。すなわち、光透過部２２の透過率は、光遮断部２３の透過率よりも大きい。光透過部２２は、例えば、透明のフィルムや、透明の板が挙げられる。光透過部２２は、切欠き２２Ａや穴２０１を覆うように、取り付けられていてもよい。このとき、光透過部２２は、検知ギア１４と別部品となっていてもよい。また、光透過部２２は、切欠き２２Ａや穴２０１内に充填され、検知ギア１４と一体成型されていてもよい。
【００８３】
さらに、検知ギア１４は、複数のギア歯２４の代わりに、例えば、図１０Ｃに示すように、複数のギア歯２０５を有していてもよい。複数のギア歯２０５は、検知ギア１４の径方向における検知ギア１４の外表面Ｓ２の端に位置する。すなわち、複数のギア歯２０５は、検知ギア１４の径方向における光遮断部２３の端に位置する。
【００８４】
さらに、検知ギア１４は、複数のギア歯２４の代わりに、アジテータギア１２との接触により生じる摩擦力によって検知ギア１４を回転させる摩擦部を備えてもよい。検知ギア１４が第１位置である場合に、摩擦部は、アジテータギア１２と接触する。検知ギア１４が第２位置である場合に、摩擦部は、アジテータギア１２と接触しない。摩擦部は、アジテータギア１２との接触により摩擦力を生じさせることができればよい。例えば、摩擦部は、ゴムにより作られる。
【００８５】
１０．２  ギアカバー１５の変形例
ギアカバー１５は、第２穴３１Ａの代わりに、例えば、図１１Ａに示すように、第２切欠き２０３を有していてもよい。
【００８６】
また、ギアカバーは、第２穴３１Ａまたは第２切欠き２０３の代わりに、例えば、図１１Ｂに示すように、第２光透過部３１を有していてもよい。第２光透過部３１は、例えば、透明のフィルムや、透明の板が挙げられる。第２光透過部３１は、第２穴３１Ａや第２切欠き２０３を覆うように取り付けられていてもよい。このとき、第２光透過部３１は、ギアカバー１５と別部品となっていてもよい。また、第２光透過部３１は、第２穴３１Ａまたは第２切欠き２０３内に充填され、ギアカバー１５と一体成型されていてもよい。
【００８７】
１０．３  フレーム１６の変形例
フレーム１６は、第３穴４１Ａの代わりに、例えば、第３切欠きを有していてもよい。
【００８８】
また、フレーム１６は、第３穴４１Ａまたは第３切欠きの代わりに、第３光透過部を有していてもよい。第３光透過部は、例えば、透明のフィルムや、透明の板が挙げられる。第３光透過部は、第３穴４１Ａや第３切欠きを覆うように取り付けられてもよい。このとき、第３光透過部は、フレーム１６と別部品となっていてもよい。また、第３光透過部は、第３穴４１Ａまたは第３切欠き内に充填され、フレーム１６と一体成型されていてもよい。
【符号の説明】
【００８９】
１        トナーカートリッジ
２        筐体
２Ａ      第１収容部
２Ｂ      第２収容部
２Ｃ      トナー排出口
３        オーガ
３Ｂ      螺旋部
４        アジテータ
４Ｂ      本体部
５        第１突起
６        第２突起
１１      オーガギア
１２      アジテータギア
１３      アイドルギア
１４      検知ギア
１４Ａ    第２孔
１５      ギアカバー
１６      フレーム
１７      ハンドル
２１      ボス
２１Ａ    第１孔
２２      光透過部
２２Ａ    切欠き
２３      光遮断部
２４      ギア歯
３１      第２光透過部
３１Ａ    第２穴
３２      ロック部
３３      突起
４１Ａ    第３穴
４２      凹部
１００    現像器
１０１    ロック部材
１２０    画像形成装置
１２０Ａ  第１側壁
１２０Ｂ  第２側壁
１２５    発光素子
１２６    受光素子
２０１    穴
２０３    第２切欠き
２０５    ギア歯
Ａ１      第１軸
Ａ２      第２軸
Ｄ１      距離
Ｄ２      距離
Ｄ３      距離
Ｄ４      距離
Ｓ１      外表面
Ｓ２      外表面
【図１】
2018055065.tif 000003
【図２】
2018055065.tif 000004
【図３】
2018055065.tif 000005
【図４】
2018055065.tif 000006
【図５】
2018055065.tif 000007
【図６】
2018055065.tif 000008
【図７】
2018055065.tif 000009
【図８】
2018055065.tif 000010
【図９】
2018055065.tif 000011
【図１０】
2018055065.tif 000012
【図１１】
2018055065.tif 000013